(57)【要約】【課題】  この発明は、電源オン時に自動原稿送り装置内部に原稿が存在している場合にも、自動原稿送り装置内の画像読取センサのＡＧＣ処理を正確に行えるようになる画像形成装置を提供することを目的とする。【解決手段】  自動原稿送り装置を備え、自動原稿送り装置内に画像読取センサおよびそのＡＧＣ処理に用いられる基準白色部材が原稿搬送経路を挟んで配置されている画像形成装置において、電源オン時に、自動原稿送り装置内部から原稿を排出させるためのローラを、所定時間、回転駆動させる手段、および上記所定時間が経過した後に、自動原稿送り装置内に画像読取センサのＡＧＣ処理を実行させる手段を備えている。【選択図】  図１
2006005745.tif 000002
【特許請求の範囲】
【請求項１】
自動原稿送り装置を備え、自動原稿送り装置内に画像読取センサおよびそのＡＧＣ処理に用いられる基準白色部材が原稿搬送経路を挟んで配置されている画像形成装置において、
電源オン時に、自動原稿送り装置内部から原稿を排出させるためのローラを、所定時間、回転駆動させる手段、および
上記所定時間が経過した後に、自動原稿送り装置内に画像読取センサのＡＧＣ処理を実行させる手段、
を備えていることを特徴とする画像形成装置。
【発明の詳細な説明】
【技術分野】
【０００１】
この発明は、複写機等の画像形成装置に関する。
【背景技術】
【０００２】
複写機に取り付けられる自動原稿送り装置として、原稿の両面画像を同時読み取りする必要がある際に、原稿の裏面の画像を読み取るための読み取りセンサが設けられているものがある。このようなセンサとしては、例えば、ＣＩＳ（コンタクトイメージセンサ）が用いられている。なお、原稿の表面の画像は、複写機本体側に設けられたＣＣＤセンサによって読み取られる（特開２００４−４０３１１号公報参照）。
【０００３】
この種の複写機では、電源オン時に、自動原稿送り装置に設けられたＣＩＳ（コンタクトイメージセンサ）のＡＧＣ処理（黒レベルおよび白レベル補正）が行われている。つまり、ＣＩＳに対応する原稿読取部に光を照射することなくＣＩＳに上記原稿画像読取部に配置された基準白色部材を読み取らせ、ＣＩＳの出力信号値（黒レベル値）が予め設定された目標値となるように、対応するパラメータを設定する。また、上記原稿画像読取部に光を照射してＣＩＳに原稿画像読取部に配置された基準白色部材を読み取らせ、ＣＩＳの出力信号値（白レベル値）が予め設定された目標値となるように、対応するパラメータを設定する。
【０００４】
しかしながら、電源オン時に自動原稿送り装置内部に原稿が存在している場合がある。このような場合には、電源オン時にＣＩＳのＡＧＣ処理を行っても、正確なレベル補正を行えない可能性がある。
【特許文献１】特開２００４−４０３１１号公報
【特許文献２】特開２００３−２０７９７２号公報
【発明の開示】
【発明が解決しようとする課題】
【０００５】
この発明は、電源オン時に自動原稿送り装置内部に原稿が存在している場合にも、自動原稿送り装置内の画像読取センサのＡＧＣ処理を正確に行えるようになる画像形成装置を提供することを目的とする。
【課題を解決するための手段】
【０００６】
請求項１に記載の発明は、自動原稿送り装置を備え、自動原稿送り装置内に画像読取センサおよびそのＡＧＣ処理に用いられる基準白色部材が原稿搬送経路を挟んで配置されている画像形成装置において、電源オン時に、自動原稿送り装置内部から原稿を排出させるためのローラを、所定時間、回転駆動させる手段、および上記所定時間が経過した後に、自動原稿送り装置内に画像読取センサのＡＧＣ処理を実行させる手段を備えていることを特徴とする画像形成装置。
【発明の効果】
【０００７】
この発明によれば、電源オン時に自動原稿送り装置内部に原稿が存在している場合にも、自動原稿送り装置内の画像読取センサのＡＧＣ処理を正確に行えるようになる。
【発明を実施するための最良の形態】
【０００８】
以下、図面を参照して、この発明を複写機に適用した場合の実施例について説明する。
【実施例１】
【０００９】
図１は、複写機の構成を示している。
【００１０】
複写機は、複写機本体１上に設置された自動原稿送り装置１０を備えている。自動原稿送り装置１０は、原稿載置台１１、排紙トレイ１２、リフト板１３、前送りコロ１４、給紙ローラ対１５、１６、レジストローラ対１７、１８、大径の搬送ローラ１９、大径の搬送ローラ１９の周囲に配置された複数の搬送ローラ２０、２１、２２、搬送ローラ２３、搬送ローラ対２４、２５、排出ローラ対２６、２７、ＣＩＳ（コンタクトイメージセンサ）２８、基準白色部材２９等を備えている。
【００１１】
ＣＩＳ２８は、大径の搬送ローラ１９と搬送ローラ対２４、２５との間の搬送路の上側位置に配置されている。基準白色部材２９は、原稿搬送経路を挟んでＣＩＳ２８と対向する位置に配されている。ＣＩＳ２８内には、画像読み取り部と原稿に対して光を照射するための光源とが設けられている。
【００１２】
リフト板１３は、図示しないリフトモータによって昇降される。前送りコロ１４および給紙ローラ対１５、１６は、図示しない給紙モータによって駆動される。レジストローラ対１７、１８は、図示しないレジストモータによって駆動される。搬送ローラ１９〜２５および排出ローラ対２６、２７は、図示しない搬送モータによって駆動される。これらのモータは、自動原稿送り装置１０内に設けられている。
【００１３】
複写機本体１の上面には、第１のコンタクトガラス４１と、第２のコンタクトガラス４２とが設けられている。第１のコンタクトガラス４１は、原稿送り装置１０を使用するときに使用され、第２のコンタクトガラス４２は原稿送り装置１０を使用しないときに使用される。
【００１４】
複写機本体内の上部には、原稿読み取り装置３０が設けられている。原稿読み取り装置３０は、光源３１、３つのミラー３２、３３、３４、レンズ群３５およびＣＣＤセンサ３６を備えている。
【００１５】
両面コピー時の動作について説明する。ユーザは分別対象となる印刷物を原稿送り装置１０の原稿載置台１１上にセットする。また、複写機の動作モードを両面コピーモードに設定するとともに、開始キー（スタートキー）を押す。
【００１６】
これにより、原稿載置台１１上にセットされた印刷物は、１枚ずつ給紙される。１枚の印刷物が前送りコロ１４および給紙ローラ対１５、１６によって給紙され、レジストローラ対１７、１８および搬送ローラ１９、２０、２１により、第１のコンタクトガラス４１のある位置（第１の原稿画像読み取り部）に送られる。
【００１７】
第１の原稿画像読み取り部において、光源３１によって印刷物に照射されかつ反射された光は、ミラー３２、３３、３４によってレンズ群３５に導かれ、レンズ群３５を通ってＣＣＤセンサ３６に入射する。これにより、印刷物の表面の画像がＣＣＤセンサ３６によって読み取られる。
【００１８】
表面の画像が読み取られた印刷物は、搬送ローラ２２、２３によって、ＣＩＳ２８のある位置（第２の原稿画像読み取り部）に送られる。第２の原稿画像読み取り部において、ＣＩＳ２８によって印刷物の裏面の画像が読み取られる。裏面の画像が読み取られた印刷物は、搬送ローラ対２４、２５および排出ローラ対２６、２７によって、排紙トレイ１２上に排出される。なお、片面コピー時には、ＣＩＳ２８による画像の読み取りは行われない。
【００１９】
ところで、この複写機においても、電源オン時に、ＣＩＳ２８のＡＧＣ処理（黒レベルおよび白レベル補正）が行われている。つまり、ＣＩＳ２８に対応する原稿画像読取部（第２原稿画像読取部）に光を照射することなくＣＩＳ２８に上記原稿読取部に配置された基準白色部材２９を読み取らせ、ＣＩＳの出力信号値（黒レベル値）が予め設定された目標値となるように、対応するパラメータを設定する。また、上記原稿画像読取部に光を照射してＣＩＳ２８に原稿画像読取部に配置された基準白色部材２９を読み取らせ、ＣＩＳ２８の出力信号値（白レベル値）が予め設定された目標値となるように、対応するパラメータを設定する。
【００２０】
この実施例では、ＣＩＳ２８のＡＧＣ処理を行う前に自動原稿送り装置１０内の搬送モータを一定時間駆動させることにより、自動原稿送り装置１０内部に原稿が存在している場合にその原稿を排出させてからＣＩＳ２８のＡＧＣ処理を行うようにしている。これにより、ＣＩＳ２８のＡＧＣ処理が正確に行われるようにしている。
【００２１】
図２は、ＣＩＳ２８のＡＧＣ処理を行うための制御処理手順を示している。
【００２２】
複写機の電源がオンされると（ステップＳ１）、自動原稿送り装置１０内の搬送モータを駆動させる（ステップＳ２）。これにより、自動原稿送り装置１０内の搬送ローラ１９〜２５および排出ローラ対２６、２７が駆動せしめられる。このため、複写機の電源がオン時に、自動原稿送り装置１０内部に原稿が存在している場合には、その原稿が排出トレイ１２上に排出される。
【００２３】
所定時間が経過すると（ステップＳ３）、自動原稿送り装置１０内の搬送モータの駆動を停止させる（ステップＳ４）。この所定時間は、自動原稿送り装置１０内部の原稿を排出トレイ１２上に排出させるのに十分な時間に設定される。
【００２４】
自動原稿送り装置１０内の搬送モータの駆動を停止させた後に、ＣＩＳ２８のＡＧＣ処理を実行する（ステップＳ５）。
【図面の簡単な説明】
【００２５】
【図１】複写機の構成を示すブロック図である。
【図２】ＣＩＳ２８のＡＧＣ処理を行うための制御処理手順を示すフローチャートである。
【符号の説明】
【００２６】
１  複写機本体
１０  自動原稿送り装置
１１  原稿載置台
１２  排紙トレイ
１４  前送りコロ
１５、１６  給紙ローラ対
１７、１８  レジストローラ対
１９〜２５  搬送ローラ
２６、２７  排出ローラ対
２８  ＣＩＳ（コンタクトイメージセンサ）
２９  基準白色部材
【図１】
2006005745.tif 000003
【図２】
2006005745.tif 000004